(57)【特許請求の範囲】
【請求項１】
加熱回転体と、
前記加熱回転体に対向して配置され、前記加熱回転体との間に定着ニップを形成する加圧回転体と、
前記加熱回転体の外面から所定距離離間して前記外面に沿って配置される前記加熱回転体を発熱させるための磁束を発生させる誘導コイルと、
磁性体コア部であって、少なくともその一部のキュリー温度が、前記加熱回転体が被転写材を定着させる定着温度になった時の前記磁性体コア部の温度よりも高く且つ前記加熱回転体がその耐熱温度になった場合の前記磁性体コア部の温度よりも低い磁性体コア部と、
前記磁性体コア部よりも熱伝導率が高い熱伝導性部材であって、前記加熱回転体の外面に対向すると共に、前記磁性体コア部に当接して配置される熱伝導性部材と、を備え、
前記磁性体コア部は、前記誘導コイルの外周縁の近傍に配置されると共に前記誘導コイルを挟まずに前記加熱回転体の外面から所定距離離間して前記加熱回転体の外面に対向する第２コア部を備え、
前記熱伝導性部材は、前記第２コア部に当接して配置される
定着装置。
【請求項２】
前記磁性体コア部は、前記誘導コイルの内周縁の近傍に配置されると共に前記誘導コイルを挟まずに前記加熱回転体の外面から所定距離離間して前記加熱回転体の外面に対向する第１コア部を備え、
前記熱伝導性部材は、前記第１コア部に当接して配置される
請求項１に記載の定着装置。
【請求項３】
前記熱伝導性部材は、前記加熱回転体側において前記第２コア部から離間すると共に、前記加熱回転体とは反対側において前記第２コア部に当接する
請求項１に記載の定着装置。
【請求項４】
前記熱伝導性部材は、前記加熱回転体の外面に沿って延びている
請求項１又は３に記載の定着装置。
【請求項５】
前記加熱回転体の外面に形成され、被転写材を前記定着ニップに搬送される場合における前記被転写材が通過する領域である第１領域と、
前記加熱回転体の外面に形成され、前記第１領域から見て前記被転写材の搬送方向に直交する方向である直交方向の外側の領域である第２領域と、を備え、
前記熱伝導性部材は、前記磁性体コア部における前記第２領域に対応する位置に配置される
請求項１から４のいずれかに記載の定着装置。
【請求項６】
前記熱伝導性部材は、非磁性体材料で形成される
請求項１から５のいずれかに記載の定着装置。
【請求項７】
前記熱伝導性部材の前記加熱回転体側に前記加熱回転体の外面に対向して配置され、前記熱伝導性部材よりも熱を吸収しやすい輻射熱吸収部材を更に備える
請求項１から６のいずれかに記載の定着装置。
【請求項８】
表面に静電潜像が形成される１又は複数の像担持体と、
前記１又は複数の像担持体に形成された静電潜像をトナー画像として現像する現像器と、
前記像担持体に形成されたトナー画像を直接的又は間接的にシート状の被転写材に転写する転写部と、
請求項１から７のいずれかに記載の定着装置と、を備える
画像形成装置。
【発明の詳細な説明】
【技術分野】
【０００１】
本発明は、定着装置及びこれを備える画像形成装置に関する。
【背景技術】
【０００２】
従来、画像形成装置においては、熱容量を小さくすることができるベルト方式を備えた定着装置が注目されている。また、近年、急速加熱や高効率加熱の可能性をもった電磁誘導加熱（ＩＨ；ｉｎｄｕｃｔｉｏｎ  ｈｅａｔｉｎｇ）方式が注目されている。
【０００３】
電磁誘導加熱方式の定着装置においては、定着装置に搬送（通紙）される被転写材としての用紙の幅（用紙の搬送方向に垂直な方向の用紙の幅：通紙幅）に合わせて、用紙が通過する通紙領域（第１領域）の外側の領域（非通紙領域、第２領域）の温度が過度に上昇することを抑制するために、非通紙領域と通紙領域とにおける加熱回転体の発熱量を調整することができる技術が提案されている。
【０００４】
また、電磁誘導加熱方式の定着装置において、加熱回転体と、加圧回転体と、加熱回転体を発熱させるための磁束を発生させる誘導コイルと、キュリー温度に達すると透磁率が所定値まで低下する磁性材料により形成される磁性体コア部と、を備える定着装置が提案されている（例えば、特許文献１参照）。
特許文献１に記載される定着装置においては、用紙が通過しないことで加熱回転体の温度が上昇した非通紙領域において、磁性体コア部がキュリー温度以上になった場合に磁性体コア部の透磁率が低下することで、加熱回転体の温度が過度に上昇することを抑制することができるとされている。
【先行技術文献】
【特許文献】
【０００５】
【特許文献１】特開２００９−１９８６６５号公報
【発明の概要】
【発明が解決しようとする課題】
【０００６】
特許文献１に記載される定着装置においては、磁性体コア部には、磁性体コア部の加熱回転体に近い部分から離れた部分に向かって、加熱回転体からの熱が伝導される。磁性体コア部の加熱回転体から離れた部分においては、キュリー温度以上の温度に達するのに時間を要する。そのため、非通紙領域において、加熱回転体の温度が過度に上昇することを迅速に抑制することができない可能性がある。
従って、加熱回転体の温度が過度に上昇することを迅速に抑制することができる定着装置が望まれている。
【０００７】
本発明は、少なくともその一部がキュリー温度に達すると透磁率が低下する磁性材料により形成される磁性体コア部を備え、加熱回転体の温度が過度に上昇することを迅速に抑制することができる定着装置を提供することを目的とする。
また、本発明は、前記定着装置を備える画像形成装置を提供することを目的とする。
【課題を解決するための手段】
【０００８】
本発明は、加熱回転体と、前記加熱回転体に対向して配置され、前記加熱回転体との間に定着ニップを形成する加圧回転体と、前記加熱回転体の外面から所定距離離間して前記外面に沿って配置され、前記加熱回転体を発熱させるための磁束を発生させる誘導コイルと、磁性体コア部であって、少なくともその一部のキュリー温度が、前記加熱回転体が被転写材を定着させる定着温度になった時の前記磁性体コア部の温度よりも高く且つ前記加熱回転体がその耐熱温度になった場合の前記磁性体コア部の温度よりも低い磁性体コア部と、前記磁性体コア部よりも熱伝導率が高い熱伝導性部材であって、前記加熱回転体の外面に対向すると共に、前記磁性体コア部に当接して配置される熱伝導性部材と、を備える定着装置に関する。
【０００９】
また、前記磁性体コア部は、前記誘導コイルの内周縁の近傍に配置されると共に前記誘導コイルを挟まずに前記加熱回転体の外面から所定距離離間して前記加熱回転体の外面に対向する第１コア部を備え、前記熱伝導性部材は、前記第１コア部に当接して配置されることが好ましい。
【００１０】
また、前記磁性体コア部は、前記誘導コイルの外周縁の近傍に配置されると共に前記誘導コイルを挟まずに前記加熱回転体の外面から所定距離離間して前記加熱回転体の外面に対向する第２コア部を備え、前記熱伝導性部材は、前記第２コア部に当接して配置されることが好ましい。
【００１１】
また、前記熱伝導性部材は、前記加熱回転体側において前記第２コア部から離間すると共に、前記加熱回転体とは反対側において前記第２コア部に当接することが好ましい。
【００１２】
また、前記熱伝導性部材は、前記加熱回転体の外面に沿って延びていることが好ましい。
【００１３】
また、前記加熱回転体の外面に形成され、被転写材を前記定着ニップに搬送される場合における前記被転写材が通過する領域である第１領域と、前記加熱回転体の外面に形成され、前記第１領域から見て前記被転写材の搬送方向に直交する方向である直交方向の外側の領域である第２領域と、を備え、前記熱伝導性部材は、前記磁性体コア部における前記第２領域に対応する位置に配置されることが好ましい。
【００１４】
また、前記熱伝導性部材は、非磁性体材料で形成されることが好ましい。
【００１５】
また、前記熱伝導性部材の前記加熱回転体側に前記加熱回転体の外面に対向して配置され、前記熱伝導性部材よりも熱を吸収しやすい輻射熱吸収部材を更に備えることが好ましい。
【００１６】
本発明は、表面に静電潜像が形成される１又は複数の像担持体と、前記１又は複数の像担持体に形成された静電潜像をトナー画像として現像する現像器と、前記像担持体に形成されたトナー画像を直接的又は間接的にシート状の被転写材に転写する転写部と、前記定着装置と、を備える画像形成装置に関する。
【発明の効果】
【００１７】
本発明によれば、少なくともその一部がキュリー温度に達すると透磁率が低下する磁性材料により形成される磁性体コア部を備え、加熱回転体の温度が過度に上昇することを迅速に抑制することができる定着装置を提供することができる。
また、本発明によれば、前記定着装置を備える画像形成装置を提供することができる。
【図面の簡単な説明】
【００１８】
【図１】本発明の第１実施形態のプリンター１の各構成要素の配置を説明するための図である。
【図２】第１実施形態のプリンター１の定着装置９の各構成要素を説明するための断面図である。
【図３】図２に示す定着装置９から加熱回転体９ａを取り外した状態で、加熱ユニット７０を加圧ローラー９ｂ側から視た図である。
【図４】図２に示す定着装置９の磁性体コア部７２がキュリー温度に達した場合において磁性体コア部７２を通過する磁束を説明する断面図である。
【図５】第２実施形態のプリンター１の定着装置９の各構成要素を説明するための断面図である。
【図６】第３実施形態のプリンター１の定着装置９の各構成要素を説明するための断面図である。
【発明を実施するための形態】
【００１９】
以下、図面を参照して本発明の実施形態を説明する。
図１により、第１実施形態の画像形成装置としてのプリンター１の全体構造を説明する。図１は、本発明の第１実施形態のプリンター１の各構成要素の配置を説明するための図である。
【００２０】
図１に示すように、第１実施形態の画像形成装置としてのプリンター１は、装置本体Ｍを備える。装置本体Ｍは、画像情報に基づいてシート状の被転写材としての用紙Ｔにトナー画像を形成する画像形成部ＧＫと、用紙Ｔを画像形成部ＧＫに給紙すると共にトナー画像が形成された用紙Ｔを排紙する給排紙部ＫＨとを有する。
装置本体Ｍの外形は、筐体としてのケース体ＢＤにより構成される。
【００２１】
図１に示すように、画像形成部ＧＫは、像担持体（感光体）としての感光体ドラム２と、帯電部１０と、露光ユニットとしてのレーザースキャナーユニット４と、現像器１６と、トナーカートリッジ５と、トナー供給部６と、ドラムクリーニング部１１と、除電器１２と、転写部としての転写ローラー８と、定着装置９とを備える。
【００２２】
図１に示すように、給排紙部ＫＨは、給紙カセット５２と、用紙Ｔの搬送路Ｌと、レジストローラー対８０と、排紙部５０とを備える。
【００２３】
以下、画像形成部ＧＫ及び給排紙部ＫＨの各構成について詳細に説明する。
まず、画像形成部ＧＫについて説明する。
画像形成部ＧＫにおいては、感光体ドラム２の表面に沿って順に、図１において矢印で示した感光体ドラム２の回転方向に沿って上流側から下流側に順に、帯電部１０による帯電、レーザースキャナーユニット４による露光、現像器１６による現像、転写ローラー８による転写、除電器１２による除電、及びドラムクリーニング部１１によるクリーニングが行われる。
【００２４】
感光体ドラム２は、円筒形状の部材からなり、感光体又は像担持体として機能する。感光体ドラム２は、搬送路Ｌにおける用紙Ｔの搬送方向に対して直交する方向に延びる回転軸を中心に、図１に示した矢印の方向に回転可能である。感光体ドラム２の表面には、静電潜像が形成され得る。
【００２５】
帯電部１０は、感光体ドラム２の表面に対向して配置される。帯電部１０は、感光体ドラム２の表面を一様に負（マイナス極性）又は正（プラス極性）に帯電させる。
【００２６】
レーザースキャナーユニット４は、露光ユニットとして機能するものであり、感光体ドラム２の表面から離間して配置される。
【００２７】
レーザースキャナーユニット４は、ＰＣ（パーソナルコンピュータ）等の外部機器から入力された画像情報に基づいて、感光体ドラム２の表面を走査露光することで感光体ドラム２の表面に静電潜像を形成することができる。
【００２８】
現像器１６は、感光体ドラム２の表面に対向して配置される。現像器１６は、感光体ドラム２に形成された静電潜像を単色（通常はブラック）のトナーを用いて現像して、単色のトナー画像を感光体ドラム２の表面に形成する。現像器１６は、感光体ドラム２の表面に対向配置された現像ローラー１７、トナー攪拌用の攪拌ローラー１８等を有している。
【００２９】
トナーカートリッジ５は、現像器１６に対応して設けられており、現像器１６に対して供給されるトナーを収容する。
【００３０】
トナー供給部６は、トナーカートリッジ５及び現像器１６に対応して設けられており、トナーカートリッジ５に収容されたトナーを現像器１６に対して供給する。
【００３１】
転写ローラー８は、感光体ドラム２の表面に形成されたトナー画像を用紙Ｔに転写させる。転写ローラー８は、感光体ドラム２に対して当接した状態で回転可能である。
【００３２】
感光体ドラム２と転写ローラー８との間には、転写ニップＮが形成される。転写ニップＮにおいて、感光体ドラム２に形成されたトナー画像が用紙Ｔに転写される。
除電器１２は、感光体ドラム２の表面に対向して配置される。
ドラムクリーニング部１１は、感光体ドラム２の表面に対向して配置される。
【００３３】
定着装置９は、用紙Ｔに転写されたトナー画像を構成するトナーを溶融及び加圧して、用紙Ｔに定着させる。
定着装置９の詳細については後述する。
【００３４】
次に、給排紙部ＫＨについて説明する。
図１に示すように、装置本体Ｍの下部には、用紙Ｔを収容する給紙カセット５２が配置される。給紙カセット５２には、用紙Ｔが積層された状態で載置される載置板６０が配置される。載置板６０に載置された用紙Ｔは、カセット給紙部５１により搬送路Ｌに送り出される。カセット給紙部５１は、載置板６０上の用紙Ｔを取り出すための前送りコロ６１と、用紙Ｔを１枚ずつ搬送路Ｌに送り出すための給紙ローラー対６３とからなる重送防止機構を備える。
【００３５】
装置本体Ｍの上部には、排紙部５０が設けられる。排紙部５０は、第３ローラー対５３により用紙Ｔを装置本体Ｍの外部に排紙する。排紙部５０の詳細については後述する。
【００３６】
用紙Ｔを搬送する搬送路Ｌは、カセット給紙部５１から転写ニップＮまでの第１搬送路Ｌ１と、転写ニップＮから定着装置９までの第２搬送路Ｌ２と、定着装置９から排紙部５０までの第３搬送路Ｌ３と、第３搬送路Ｌ３を上流側から下流側へ搬送する用紙を、表裏反転させて第１搬送路Ｌ１に戻す戻し搬送路Ｌｂとを備える。
【００３７】
また、第１搬送路Ｌ１の途中には、第１合流部Ｐ１が設けられている。第３搬送路Ｌ３の途中には、第１分岐部Ｑ１が設けられている。第１分岐部Ｑ１は、戻し搬送路Ｌｂが第３搬送路Ｌ３から分岐する分岐部で、第１ローラー対５４ａ及び第２ローラー対５４ｂを有する。第１ローラー対５４ａの一方のローラーと第２ローラー対５４ｂの一方のローラーとは兼用される。
【００３８】
第１搬送路Ｌ１の途中（詳細には、第１合流部Ｐ１と転写ニップＮとの間）には、用紙Ｔを検出するためのセンサー（不図示）と、用紙Ｔのスキュー（斜め給紙）補正や画像形成部ＧＫにおけるトナー画像の形成と用紙Ｔの搬送のタイミングを合わせるためのレジストローラー対８０とが配置される。
【００３９】
第３搬送路Ｌ３の用紙搬送方向側の端部には、排紙部５０が形成される。排紙部５０は、装置本体Ｍの上部に配置される。排紙部５０は、第３搬送路Ｌ３を搬送される用紙Ｔを第３ローラー対５３によって装置本体Ｍの外部に排紙する。
【００４０】
排紙部５０の開口側には、排紙集積部Ｍ１が形成される。排紙集積部Ｍ１は、装置本体Ｍの上面（外面）に設けられている。
なお、各搬送路の所定位置には用紙検出用のセンサー（不図示）が配置される。
【００４１】
次に、本実施形態のプリンター１の特徴部分である定着装置９に係る構成について詳細に説明する。図２は、第１実施形態のプリンター１の定着装置９の各構成要素を説明するための断面図である。図３は、図２に示す定着装置９から加熱回転体９ａを取り外した状態で、加熱ユニット７０を加圧ローラー９ｂ側から視た図である。図４は、図２に示す定着装置９の磁性体コア部７２がキュリー温度に達した場合において磁性体コア部７２を通過する磁束を説明する断面図である。
【００４２】
図２に示すように、定着装置９は、加熱回転体９ａと、加熱回転体９ａに圧接（当接）される加圧回転体としての加圧ローラー９ｂと、加熱ユニット７０とを備える。
【００４３】
加熱回転体９ａは、その回転軸Ｊ１側から見た場合に環状である。加熱回転体９ａは、第１周方向Ｒ１に回転可能である。加熱回転体９ａは、後述する加熱ユニット７０を用いることで、電磁誘導を利用した電磁誘導加熱（ＩＨ；ｉｎｄｕｃｔｉｏｎ  ｈｅａｔｉｎｇ）により発熱される。
加熱回転体９ａは、定着側ローラー９２と、定着側ローラー９２の外周面を覆うように配置される加熱回転ベルト９３と、を備える。
【００４４】
図２に示すように、定着側ローラー９２は、円筒状に形成される。定着側ローラー９２は、第１周方向Ｒ１に直交する方向Ｄ２に平行な第１回転軸Ｊ１を中心に、第１周方向Ｒ１に回転可能である。定着側ローラー９２は、第１回転軸Ｊ１方向に延びている。本実施形態においては、第１周方向Ｒ１の接線に直交する直交方向又は第１回転軸Ｊ１方向を「用紙幅方向Ｄ２」ともいう。用紙幅方向Ｄ２と第１回転軸Ｊ１方向とは、略一致している。
【００４５】
定着側ローラー９２は、定着側ローラー本体９２１と、第１回転軸Ｊ１と同軸の軸部材９２２と、を有する。定着側ローラー本体９２１は、円筒状の金属部材と、金属部材の外周面に形成される弾性層と、を有する。
【００４６】
定着側ローラー９２の軸部材９２２は、定着側ローラー本体９２１の両端部から第１回転軸Ｊ１方向の外側それぞれに突出している。定着側ローラー９２の軸部材９２２は、定着装置９のケースやその他の部材により回転可能に支持される。これにより、定着側ローラー９２は、第１回転軸Ｊ１を中心に回転可能となっている。
【００４７】
図２に示すように、加熱回転ベルト９３は、その回転軸側から見た場合に環状（無端ベルト状）である。加熱回転ベルト９３は、第１周方向Ｒ１に回転可能である。加熱回転ベルト９３は、定着側ローラー９２の外周面を覆うように定着側ローラー９２の外周面に沿って配置される。加熱回転ベルト９３の内周面には、定着側ローラー９２の外周面が当接する。加熱回転ベルト９３は、耐熱性を有する。
【００４８】
本実施形態においては、加熱回転ベルト９３の基材は、ニッケル等の強磁性材料により形成される。加熱回転ベルト９３は、後述する加熱ユニット７０の誘導コイル７１により発生される磁束が通る領域に配置されると共に、その基材が強磁性材料により構成されることで、加熱ユニット７０の誘導コイル７１により発生される磁束の磁路を形成する。誘導コイル７１により発生される磁束は、磁路を形成する加熱回転ベルト９３に沿って通過する（導かれる）。また、加熱回転ベルト９３は基材の外周面に形成される弾性層と、弾性層の外周面に形成される離型層と、をさらに有する。
【００４９】
加熱回転ベルト９３には、後述する誘導コイル７１により発生された加熱回転ベルト９３を通過する磁束による電磁誘導によって、渦電流（誘導電流）が発生する。加熱回転ベルト９３に渦電流が流れることで、加熱回転ベルト９３が有する電気抵抗により、加熱回転ベルト９３にはジュール熱が発生する。
【００５０】
加圧ローラー９ｂは、円筒状に形成される。加圧ローラー９ｂは、加熱回転体９ａの垂直方向下方側に且つ定着側ローラー９２に対向して配置される。加圧ローラー９ｂは、用紙幅方向Ｄ２に平行な第２回転軸Ｊ２を中心に、第２周方向Ｒ２に回転可能である。加圧ローラー９ｂは、第２回転軸Ｊ２方向に延びている。
【００５１】
加圧ローラー９ｂは、その外周面が加熱回転ベルト９３の外周面（外面）に当接するように配置される。加圧ローラー９ｂは、加熱回転ベルト９３を介して定着側ローラー９２を押圧するように配置される。加圧ローラー９ｂは、定着側ローラー９２との間に加熱回転ベルト９３の一部を挟み込んで、加熱回転ベルト９３と定着ニップＦを形成する。定着ニップＦは、用紙Ｔを挟み込むと共に、用紙Ｔを搬送する。
【００５２】
加圧ローラー９ｂは、加圧ローラー本体９４１と、第２回転軸Ｊ２と同軸の軸部材９４２と、を有する。加圧ローラー本体９４１は、円筒状の金属部材と、金属部材の外周面に形成される弾性層と、弾性層の外周面に形成される離型層と、を有する。
【００５３】
加圧ローラー９ｂの軸部材９４２には、加圧ローラー９ｂを回転駆動させる回転駆動部（不図示）が接続される。この回転駆動部により、加圧ローラー９ｂが第２周方向Ｒ２に所定速度で回転駆動されると共に、加圧ローラー９ｂの回転に従動して、加圧ローラー９ｂの外周面に当接する加熱回転ベルト９３が回転される。加熱回転ベルト９３が回転されることにより、加熱回転ベルト９３の内周面に当接する定着側ローラー９２は、加熱回転ベルト９３の回転に従動して回転される。
【００５４】
定着ニップＦに搬送される用紙Ｔは、定着装置９の通紙領域（第１領域）内を通過して搬送された場合に、トナー画像が定着される。「通紙領域」（第１領域）とは、用紙Ｔが定着ニップＦに搬送される場合において、定着ニップＦに搬送される用紙Ｔが加熱回転ベルト９３と加圧ローラー９ｂとに挟まれて通過する領域のことである。また、通紙領域から見て用紙幅方向Ｄ２の外側の領域である用紙Ｔが通過しない領域を「非通紙領域」（第２領域）という。非通紙領域は、複数のサイズの用紙Ｔに対応して形成される。
【００５５】
図３に示すように、用紙幅方向Ｄ２の長さが最大の用紙Ｔが定着ニップＦに搬送される場合の通紙領域として、最大通紙領域９０１を設定する。最大通紙領域９０１は、プリンター１ごとにそれぞれ設定される。最大通紙領域９０１の用紙幅方向Ｄ２の外側の領域は、最大非通紙領域９０１ｄである。
【００５６】
具体的には、加熱回転ベルト９３の外周面には、加熱回転ベルト９３の最大通紙領域９０１として、加熱側最大通紙領域９０１ａが形成（設定）される。加圧ローラー９ｂの外周面には、加熱回転ベルト９３の加熱側最大通紙領域９０１ａに対応して、加圧回転体９ｂの最大通紙領域９０１として、加圧側最大通紙領域９０１ｂが形成（設定）される。加熱側最大通紙領域９０１ａの用紙幅方向Ｄ２に平行な方向の長さを、「最大通紙幅Ｗ１」という。
【００５７】
また、用紙幅方向Ｄ２の長さが最小の用紙Ｔが定着ニップＦに搬送される場合の通紙領域として、最小通紙領域９０３を設定する。最小通紙領域９０３の用紙幅方向Ｄ２の外側の領域は、最小非通紙領域９０３ｄである。
【００５８】
具体的には、加熱回転ベルト９３の外周面には、加熱回転ベルト９３の最小通紙領域９０３として、加熱側最小通紙領域９０３ａが形成（設定）される。加圧ローラー９ｂの外周面には、加熱回転ベルト９３の加熱側最小通紙領域９０３ａに対応して、加圧側最小領域９０３ｂが形成（設定）される。加熱側最小通紙領域９０３ａの用紙幅方向Ｄ２に平行な方向の長さを、「最小通紙幅Ｗ３」という。
【００５９】
また、本実施形態の定着装置９においては、用紙幅方向Ｄ２の長さが最大長さよりも短く且つ最小長さ（最小幅）よりも長い長さである中間長さ（中間幅）の用紙Ｔが定着ニップＦに搬送される場合の通紙領域として、中間通紙領域９０２（加熱側中間通紙領域９０２ａ、加圧側中間領域９０２ｂ）を設定する。中間通紙領域９０２の用紙幅方向Ｄ２の外側の領域は、中間非通紙領域９０２ｄである。加熱側中間通紙領域９０２ａの用紙幅方向Ｄ２に平行な方向の長さを、「中間通紙幅Ｗ２」という。
なお、用紙Ｔの通紙領域は、これに制限されず、各サイズの用紙Ｔに対応して適宜設定することができる。
【００６０】
加熱ユニット７０について説明する。図２及び図３に示すように、加熱ユニット７０は、誘導コイル７１と、磁性体コア部７２と、熱伝導性部材としての第１熱伝導性部材７８１と、熱伝導性部材としての第２熱伝導性部材７８２と、輻射熱吸収部材としての第１輻射熱吸収層７９１と、輻射熱吸収部材としての第２輻射熱吸収層７９２と、を備える。
誘導コイル７１は、加熱回転ベルト９３の外周面から所定距離だけ離間すると共に、加熱回転ベルト９３の外周面に沿って配置される。本実施形態においては、誘導コイル７１を、あらかじめ線材を巻き回した形状に形成している。誘導コイル７１は、その長手方向が用紙幅方向Ｄ２と平行になるように加熱ユニット７０に配置される。なお、誘導コイル７１を、平面視（図２の上方から視た場合）において、用紙幅方向Ｄ２に長い形状に線材を巻き回して形成してもよい。
【００６１】
誘導コイル７１は、用紙幅方向Ｄ２において加熱回転ベルト９３の長さよりも長く形成される。誘導コイル７１は、加熱回転ベルト９３の垂直方向の上方側の略半周の外周面に対向して配置される。誘導コイル７１は、用紙幅方向Ｄ２に延びる中央領域７１８を囲むように配置される。中央領域７１８は、加熱回転ベルト９３の垂直方向の最も上方に位置する部分（搬送方向Ｄ１における略中央）の上方側において、誘導コイル７１の線材が配置されない用紙幅方向Ｄ２に長い領域である。
【００６２】
誘導コイル７１は、誘導コイル７１が加熱ユニット７０に配置された際に、以下のような配置になるように形成されている。すなわち、誘導コイル７１の内周縁（線材７１１Ａが配置されている部位）は、中央領域７１８を囲む。誘導コイル７１を構成する線材は、用紙幅方向Ｄ２に延びる。また、誘導コイル７１を構成する線材は、誘導コイル７１の内周縁から加熱回転ベルト９３の周方向に沿って並ぶ。誘導コイル７１の外周縁（線材７１１Ｂが配置されている部位）は、加熱回転ベルト９３の外周面に対向する。
本実施形態においては、誘導コイル７１は、耐熱性の樹脂材料により形成された不図示の支持部材の上に固定される。
【００６３】
誘導コイル７１は、不図示の誘導加熱用回路部に接続される。誘導コイル７１には、誘導加熱用回路部から交流電流が印加される。誘導コイル７１は、誘導加熱用回路部から交流電流が印加されることにより、加熱回転ベルト９３を発熱させるための磁束を発生させる。例えば、誘導コイル７１には、周波数が３０ｋＨｚ程度の交流電流が印加される。
【００６４】
誘導コイル７１により発生された磁束は、加熱回転ベルト９３及び磁性体コア部７２（後述）により形成された磁束の経路である磁路に導かれる。
【００６５】
磁路は、誘導コイル７１により発生された磁束が周回方向Ｒ３に周回するように、加熱回転ベルト９３及び磁性体コア部７２（後述）により形成される。周回方向Ｒ３とは、誘導コイル７１の内周縁７１１Ａの内側と外周縁７１１Ｂの外側とを通り誘導コイル７１の線材の部分を囲むように周回する方向である。誘導コイル７１により発生された磁束は、磁路を通過する。
【００６６】
誘導コイル７１により発生される磁束は、誘導加熱用回路部（不図示）から交流電流が印加されるため、交流電流のプラス又はマイナスへの周期的な変動により、その大きさ及び方向が変化する。加熱回転ベルト９３には、この磁束の変化により誘導電流（渦電流）が発生する。
【００６７】
磁性体コア部７２は、図２に示すように、周回方向Ｒ３に周回する磁路を形成する。磁性体コア部７２は、誘導コイル７１により発生される磁束が通る領域に配置されると共に、強磁性材料を主体として形成されるため、誘導コイル７１により発生される磁束の経路である磁路を形成する。
【００６８】
磁性体コア部７２は、第１コア部としてのセンターコア部７３と、複数のアーチコア部７４と、第２コア部としての一対のサイドコア部７６とを有する。センターコア部７３、アーチコア部７４及びサイドコア部７６は、例えば、フェライト粉末を焼結して成形される強磁性材料からなるフェライト製の磁性体コアを主体として構成される。
【００６９】
また、センターコア部７３、アーチコア部７４及びサイドコア部７６のキュリー温度は、加熱回転ベルト９３（定着装置９）が用紙Ｔを定着させる定着温度になったときのコア部の温度よりも高く、且つ、加熱回転体９ａ（加熱回転ベルト９３）が耐熱温度になったときのコア部の温度よりも低く設定される。具体的には、加熱回転ベルト９３の定着温度（用紙Ｔにトナーを定着するのが可能な温度）を１６０度とすると、加熱回転ベルト９３が定着温度（１６０℃）になった時の磁性体コア部７２（センターコア部７３又はサイドコア部７６）の温度は１２０℃である。また、加熱回転ベルト９３の耐熱温度は２４０℃である。この耐熱温度を超えると、加熱回転ベルト９３を構成する弾性層の弾性が低下して加熱回転ベルト９３の基層から剥がれたり、破損が生じたりする可能性が高くなる。そして、加熱回転ベルト９３が耐熱温度（２４０℃）の時の磁性体コア部７２（センターコア部７３又はサイドコア部７６）の温度は１９０℃である。したがって、磁性体コア部７２（センターコア部７３又はサイドコア部７６）のキュリー温度は、１２０℃と１９０℃との間の温度に設定するのが好ましい。例えば、本実施形態では、磁性体コア部７２（センターコア部７３又はサイドコア部７６）のキュリー温度は、１６０℃に設定されている。
【００７０】
センターコア部７３、アーチコア部７４及びサイドコア部７６のキュリー温度が加熱回転ベルト９３が定着温度になったときのコア部の温度よりも高い場合には、ウォームアップ時において、加熱回転体９ａの温度が定着温度に達するまでに、センターコア部７３、アーチコア部７４及びサイドコア部７６の温度がキュリー温度に達しない。これにより、センターコア部７３、アーチコア部７４及びサイドコア部７６がキュリー温度に達する前に、加熱回転体９ａの温度を定着温度に迅速に上昇させることができる。
また、センターコア部７３、アーチコア部７４及びサイドコア部７６のキュリー温度が加熱回転体９ａの耐熱温度になったときのコア部の温度よりも低い場合には、耐熱温度に達する前にキュリー温度に達して、センターコア部７３、アーチコア部７４及びサイドコア部７６の磁束を誘導する機能は、消失する。これにより、加熱回転体９ａが耐熱温度に達する前に、加熱回転体９ａの過度の温度上昇を確実に抑制することができる。
キュリー温度の設定は、例えば、フェライト粉末を焼結して成形される強磁性材料のフェライト組成を選択することにより好適に設定することができる。
【００７１】
センターコア部７３は、図２に示すように、誘導コイル７１の内周縁７１１Ａの近傍に配置される。センターコア部７３は用紙幅方向Ｄ２に視た場合に、加熱回転体９ａの垂直方向の上方側において、加熱回転体９ａの用紙Ｔの搬送方向Ｄ１の略中央に配置される。すなわち、センターコア部７３は、誘導コイル７１の内周縁の内側の領域である中央領域７１８に配置されている。
【００７２】
センターコア部７３は、後述するアーチコア部７４と加熱回転体９ａとの間に配置され、後述するアーチコア部７４とは別体である。センターコア部７３は、誘導コイル７１を挟まずに加熱回転体９ａの外周面から所定距離離間して配置される。センターコア部７３の下側の面は、加熱回転体９ａの上方側の外周面に対向し、アーチコア部７４よりも加熱回転体９ａに近い位置に配置される。
【００７３】
センターコア部７３は、図３に示すように、用紙幅方向Ｄ２に長い略直方体形状であり、最大通紙領域９０１よりも長い。センターコア部７３は、アーチコア部７４と比べて容積を小さいので、アーチコア部７４と比べて熱容量が小さい。
【００７４】
センターコア部７３は、図２に示すように、磁路の周回方向Ｒ３において、アーチコア部７４と加熱回転体９ａとの間の磁路を形成する。
【００７５】
センターコア部７３は、図２及び図３に示すように、最小通紙領域９０３の外側の最小非通紙領域９０３ｄにおいて、センターコア部上流側部材７３１と、センターコア部下流側部材７３２と、第１熱伝導性部材７８１とを有する。センターコア部上流側部材７３１及びセンターコア部下流側部材７３２それぞれは、最小非通紙領域９０３ｄにおいて、用紙幅方向Ｄ２に長い略直方体形状に形成される。センターコア部上流側部材７３１及びセンターコア部下流側部材７３２は、用紙Ｔの搬送方向Ｄ１に離間した状態で、互いに平行になるように配置されている。
【００７６】
第１熱伝導性部材７８１は、センターコア部上流側部材７３１とセンターコア部下流側部材７３２との間に配置され、加熱回転体９ａの外周面に対向する。なお、本実施形態においては、後述するように、第１熱伝導性部材７８１の加熱回転体９ａの外周面に対向する側の外面には第１輻射熱吸収部材７９１が設けられている。本発明における「加熱回転体９ａの外周面に対向する」には、第１熱伝導性部材７８１が加熱回転体９ａの外周面に直接対向するのみならず、第１輻射熱吸収部材７９１を介して第１熱伝導性部材７８１が加熱回転体９ａの外周面に対向する場合が含まれる。
【００７７】
第１熱伝導性部材７８１は、センターコア部上流側部材７３１及びセンターコア部下流側部材７３２に挟み込まれるようにして、用紙Ｔの搬送方向Ｄ１の上流側及び下流側からセンターコア部上流側部材７３１の略全面及びセンターコア部下流側部材７３２の略全面に当接する。
【００７８】
また、第１熱伝導性部材７８１は、用紙幅方向Ｄ２に長い略直方体形状に形成される。第１熱伝導性部材７８１は、図３に示す第１輻射熱吸収層７９１（後述）の奥側（紙面の裏側）に、第１輻射熱吸収層７９１に重なるように配置される。加熱ユニット７０を加圧ローラー９ｂ側から視た場合に、センターコア部上流側部材７３１及びセンターコア部下流側部材７３２と同様に、最小通紙領域９０３の外側の最小非通紙領域９０３ｄにおいて、第１熱伝導性部材７８１は、用紙幅方向Ｄ２に延びている。つまり、第１熱伝導性部材７８１は、最小通紙領域９０３の外側の最小非通紙領域９０３ｄにおいて、センターコア部上流側部材７３１及びセンターコア部下流側部材７３２に当接している。
【００７９】
このように構成されることで、第１熱伝導性部材７８１は、加熱回転体９ａからの熱（輻射熱）を、センターコア部上流側部材７３１及びセンターコア部下流側部材７３２に当接した部分からセンターコア部７３に伝導させる。
【００８０】
第１熱伝導性部材７８１は、非磁性体材料であり、センターコア部７３よりも熱伝導率が高い部材である。
第１熱伝導性部材７８１は、センターコア部７３よりも熱伝導率が高い部材であるため、加熱回転体９ａからの熱をセンターコア部７３に迅速に伝導させる。また、第１熱伝導性部材７８１は、センターコア部７３の温度を下げる際には、センターコア部７３から伝導された熱を迅速に伝達させる。
【００８１】
第１熱伝導性部材７８１としては、例えば、アルミニウム、銅、カーボンなどの非磁性体材料であり、且つ、熱伝導率が１０Ｗ／ｍＫよりも大きいものが好ましい。なお、一般的なフェライトコアの熱伝導率は５．８Ｗ／ｍＫ以下であり、アルミニウムの熱伝導率は２３８Ｗ／ｍＫ程度であり、カーボンやカーボンナノチューブの熱電伝導率は３０００〜５５００Ｗ／ｍＫ程度である。
また、本実施形態においては、第１熱伝導性部材７８１の厚み（用紙Ｔの搬送方向Ｄ１の長さ）は、０．２ｍｍから５ｍｍ程度である。
【００８２】
第１熱伝導性部材７８１は、非磁性体材料で形成されるため、センターコア部７３がキュリー温度に達しない場合には、磁束を導く機能を有さずに、加熱回転体９ａからの熱をセンターコア部７３に伝導させる。一方、センターコア部７３がキュリー温度に達した場合には、第１熱伝導性部材７８１は、磁束を低減させ又は遮蔽する機能を発揮する。
【００８３】
具体的には、センターコア部７３がキュリー温度に達しない場合には、センターコア部７３の磁束を誘導する機能により、磁束は、センターコア部７３を通過する。第１熱伝導性部材７８１は、磁束を導かない状態で、加熱回転体９ａからの熱をセンターコア部７３に伝導させる（図２参照）。
【００８４】
一方、センターコア部７３がキュリー温度に達した場合には、センターコア部７３の磁束を誘導する機能が消失されることにより、誘導コイル７１により発生された磁束は、第１熱伝導性部材７８１を貫通する。
【００８５】
第１熱伝導性部材７８１は、磁束が第１熱伝導性部材７８１を貫通（通過）することによって磁束遮蔽部材７９に発生した誘導電流で、貫通した磁束に対して逆方向の磁束を発生させる。第１熱伝導性部材７８１は、錯交磁束（垂直な貫通磁束）をキャンセルする方向の磁束を発生させることで、磁路を通過する磁束を低減させ又は遮蔽する（図４参照）。
【００８６】
第１熱伝導性部材７８１の加熱回転体９ａ側の表面には、図２及び図３に示すように、第１輻射熱吸収層７９１が設けられている。第１輻射熱吸収層７９１は、第１熱伝導性部材７８１の加熱回転体９ａ側の外面を覆うように配置される。
【００８７】
第１輻射熱吸収層７９１は、加熱回転体９ａの外周面に対向して配置される。第１輻射熱吸収層７９１は、加熱回転体９ａからの熱（輻射熱）を吸収して、第１熱伝導性部材７８１に伝導させる。第１熱伝導性部材７８１に伝導された加熱回転体９ａからの熱は、センターコア部７３に伝導される。
また、第１輻射熱吸収層７９１は、第１熱伝導性部材７８１により伝導されたセンターコア部７３からの熱を放射する。
【００８８】
第１輻射熱吸収層７９１は、第１熱伝導性部材７８１よりも熱を吸収しやすい。具体的には、第１輻射熱吸収層７９１の熱の吸収率は、第１熱伝導性部材７８１の熱の吸収率よりも高い。
このように構成されることで、第１輻射熱吸収層７９１は、加熱回転体９ａからの熱を迅速に吸収させることができる。
【００８９】
第１輻射熱吸収層７９１は、非磁性体材料により形成される。
第１輻射熱吸収層７９１としては、例えば、厚さ２０μｍ程度の黒色のコート層から形成される。第１輻射熱吸収層７９１における２０μｍ程度の黒色のコート層の材料としては、耐熱性を有するフッ素樹脂の中に、輻射熱吸収性を有する平均粒径が０．１μｍ以下のカーボン粒子を分散させたコート剤を用いることができる。
【００９０】
複数のアーチコア部７４は、センターコア部７３及び誘導コイル７１を構成する線材を挟んで加熱回転ベルト９３の外周面に対向して配置される。複数のアーチコア部７４は、誘導コイル７１から離間して配置される。複数のアーチコア部７４それぞれは、センターコア部７３及び誘導コイル７１の上方側の外方において、加熱回転ベルト９３の周面に沿うように、用紙Ｔの搬送方向Ｄ１の下流側から上流側にわたって一体的に形成されており、アーチ状に延びている。アーチコア部７４は、水平部７４２と、傾斜部７４３とを有する。
【００９１】
複数のアーチコア部７４は、図２に示すように、用紙幅方向Ｄ２の所定位置において、磁路の周回方向Ｒ３に沿ってセンターコア部７３に並んで形成される。複数のアーチコア部７４それぞれは、磁路の周回方向Ｒ３において、誘導コイル７１に対して加熱回転ベルト９３とは反対側（誘導コイル７１の外側）の磁路を形成する。
【００９２】
また、複数のアーチコア部７４それぞれは、図３に示すように、用紙幅方向Ｄ２に所定距離だけ離間して配置される。複数のアーチコア部７４それぞれは、用紙幅方向Ｄ２に離間して周回方向Ｒ３において周回する複数の磁路を形成する。
【００９３】
一対のサイドコア部７６は、図２に示すように、磁路の周回方向Ｒ３において、加熱回転体９ａとアーチコア部７４との間における磁路を形成する。一対のサイドコア部７６それぞれは、磁路の周回方向Ｒ３において、複数のアーチコア部７４それぞれに並んで配置される。
【００９４】
一対のサイドコア部７６それぞれは、誘導コイル７１の外周縁７１１Ｂの近傍において、誘導コイル７１を挟まずに、加熱回転ベルト９３の外周面から所定距離だけ離間して加熱回転ベルト９３の外周面に対向して配置される。サイドコア部７６の加熱回転ベルト９３側の端部は、誘導コイル７１の外周縁７１１Ｂの近傍において、アーチコア部７４よりも加熱回転体９ａに近い位置に配置される。
【００９５】
一対のサイドコア部７６それぞれは、用紙幅方向Ｄ２に長い略直方体形状で、且つ最大通紙領域９０１よりも長い。
【００９６】
第２熱伝導性部材７８２は、図２に示すように、サイドコア部７６に対してアーチコア部７４とは反対側（サイドコア部７６の下側）に配置される。第２熱伝導性部材７８２は、サイドコア部７６の下面の略全面に当接する。
【００９７】
第２熱伝導性部材７８２は、用紙幅方向Ｄ２に長い略直方体形状である。第２熱伝導性部材７８２は、図３に示すように、加熱ユニット７０を加圧ローラー９ｂ側から視た場合に、最小通紙領域９０３の外側の最小非通紙領域９０３ｄにおいて、用紙幅方向Ｄ２に延びている。つまり、第２熱伝導性部材７８２は、最小通紙領域９０３の外側の最小非通紙領域９０３ｄにおいて、サイドコア部７６に当接している。
【００９８】
第２熱伝導性部材７８２は、前述の第１熱伝導性部材７８１と同様に、非磁性体材料であり、サイドコア部７６よりも熱伝導率が高い部材である。第２熱伝導性部材７８２の材質については、前述の第１熱伝導性部材７８１と同様であるため、第１熱伝導性部材７８１の説明を適用又は援用して、その説明を省略する。
また、本実施形態においては、第２熱伝導性部材７８２の厚み（上下方向の長さ）は、０．２ｍｍから５ｍｍ程度である。
【００９９】
第２熱伝導性部材７８２は、前述の第１熱伝導性部材７８１と同様に、非磁性体材料で形成されるため、サイドコア部７６がキュリー温度に達した場合には、磁束を低減させ又は遮蔽する機能を発揮する。第２熱伝導性部材７８２の磁束を低減させ又は遮蔽する機能の説明については、前述の第１熱伝導性部材７８１と同様であるため、第１熱伝導性部材７８１の説明を適用又は援用して、その説明を省略する。
【０１００】
第２熱伝導性部材７８２の加熱回転体９ａ側の表面には、第２輻射熱吸収層７９２が設けられている。第２輻射熱吸収層７９２は、第２熱伝導性部材７８２の加熱回転体９ａ側の外面を覆うように配置される。
【０１０１】
第２輻射熱吸収層７９２は、加熱回転体９ａの外周面に対向して配置される。第２輻射熱吸収層７９２は、加熱回転体９ａからの熱（輻射熱）を吸収して、第２熱伝導性部材７８２に伝導して、サイドコア部７６に伝導させる。また、第２輻射熱吸収層７９２は、第２熱伝導性部材７８２により伝導されたサイドコア部７６からの熱を放射する。第２輻射熱吸収層７９２は、前述の第１輻射熱吸収層７９１と同様の材質である。そのため、第２輻射熱吸収層７９２の材質については、第１輻射熱吸収層７９１の説明を適用又は援用して説明を省略する。
【０１０２】
次に、本実施形態の定着装置９を含むプリンター１の動作について説明する。
まず、プリンター１の受け付け部（不図示）は、プリンター１の電源がＯＮの状態において、例えばプリンター１の外部に配置されている操作部（不図示）が操作されたことに基づいて発生する画像形成指示情報を受け付ける。
【０１０３】
次に、プリンター１は、印刷動作を開始する。
【０１０４】
そして、駆動制御部への電力の供給が開始されると、回転駆動部（不図示）により加圧ローラー９ｂが回転駆動される。加圧ローラー９ｂの回転駆動に伴って加熱回転体９ａは、従動して回転される。
【０１０５】
次に、定着装置９は、発熱動作を開始する。
これにより、誘導コイル７１には、誘導加熱用回路部（不図示）から交流電流が印加される。誘導コイル７１は、加熱回転体９ａを発熱させるための磁束を発生させる。
【０１０６】
誘導コイル７１により発生された磁束は、図２に示すように、加熱回転体９ａへ導かれる。加熱回転体９ａに導かれた磁束は、磁路としての加熱回転体９ａ、サイドコア部７６、アーチコア部７４及びセンターコア部７３を通る。
【０１０７】
用紙Ｔの通紙領域においては、誘導コイル７１により発生された磁束は、磁路としての加熱回転体９ａ、サイドコア部７６、アーチコア部７４及びセンターコア部７３に導かれる。
【０１０８】
そして、磁路を通過する磁束の大きさと方向が変化することにより、加熱回転体９ａには、電磁誘導により渦電流（誘導電流）が発生する。加熱回転体９ａには、通紙領域及び非通紙領域において、渦電流が流れることで、加熱回転体９ａが有する電気抵抗によりジュール熱が発生する。
【０１０９】
次に、加熱回転体９ａの回転により、加熱回転体９ａの電磁誘導加熱（ＩＨ）により発熱された部分は、定着装置９の加熱回転体９ａと加圧ローラー９ｂとにより形成される定着ニップＦに向けて順次移動される。定着装置９は、定着ニップＦにおいて、所定の温度になるように、誘導加熱用回路部（不図示）を制御している。
【０１１０】
そして、トナー画像が形成された用紙Ｔは、定着装置９の定着ニップＦに導入される。定着ニップＦにおいて、用紙Ｔに転写されたトナー像を構成するトナーが溶融し、トナーが用紙Ｔに定着される。
【０１１１】
用紙Ｔが通過する通紙領域においては、加熱回転体９ａの外周面に用紙Ｔが接触することにより、加熱回転体９ａから熱が奪われる。一方、用紙Ｔが通過しない非通紙領域においては、加熱回転体９ａの外周面に用紙Ｔが接触しないため、加熱回転体９ａの温度が過度に上昇する場合がある。特に小さいサイズの用紙Ｔが連続して印刷された場合には、非通紙領域が広範囲にわたっており、その広範囲な非通紙領域において加熱回転体９ａの温度が過度に上昇しやすくなる。
【０１１２】
本実施形態においては、第１熱伝導性部材７８１は、加熱回転体９ａの外周面に対向すると共に、センターコア部７３に当接している。第１熱伝導性部材７８１は、センターコア部７３に当接した状態で、最小非通紙領域９０３ｄにおいて、用紙幅方向Ｄ２に延びている。また、第１熱伝導性部材７８１の加熱回転体９ａ側の表面には、第１輻射熱吸収層７９１が設けられている。第１熱伝導性部材７８１の熱伝導率は、磁性体コア部７２（センターコア部７３）の熱伝導率よりも高い。
【０１１３】
また、第２熱伝導性部材７８２は、加熱回転体９ａの外周面に対向すると共に、サイドコア部７６に当接している。第２熱伝導性部材７８２は、サイドコア部７６に当接した状態で、最小非通紙領域９０３ｄにおいて、用紙幅方向Ｄ２に延びている。第２熱伝導性部材７８２の加熱回転体９ａ側の表面には、第２輻射熱吸収層７９２が設けられている。第２熱伝導性部材７８２の熱伝導率は、磁性体コア部７２（サイドコア部７６）の熱伝導率よりも高い。
【０１１４】
また、第１輻射熱吸収層７９１及び第２輻射熱吸収層７９２は、第１熱伝導性部材７８１及び第２熱伝導性部材７８２よりも熱を吸収しやすい。
そのため、第１輻射熱吸収層７９１及び第２輻射熱吸収層７９２は、加熱回転体９ａからの熱を効率よく吸収する。第１輻射熱吸収層７９１及び第２輻射熱吸収層７９２は、それぞれ、吸収した熱を、第１熱伝導性部材７８１及び第２熱伝導性部材７８２に迅速に伝導させる。
また、加熱回転体９ａからの熱は、第１輻射熱吸収層７９１及び第２輻射熱吸収層７９２により、第１熱伝導性部材７８１及び第２熱伝導性部材７８２を伝導されて、センターコア部７３及びサイドコア部７６に伝導される。これにより、加熱回転体９ａからの熱は、センターコア部７３及びサイドコア部７６に効率よく迅速に伝導される。また、センターコア部７３及びサイドコア部７６に伝導された熱は、アーチコア部７４に伝導される。
【０１１５】
このように、第１熱伝導性部材７８１、第２熱伝導性部材７８２、第１輻射熱吸収層７９１及び第２輻射熱吸収層７９２は、加熱回転体９ａからの熱を、センターコア部７３、アーチコア部４７及びサイドコア部７６に効率よく迅速に伝導させることができる。これにより、用紙Ｔが通過しない非通紙領域において、センターコア部７３、アーチコア部４７及びサイドコア部７６の温度をキュリー温度に迅速に上昇させることができる。
【０１１６】
本実施形態においては、センターコア部７３、アーチコア部４７及びサイドコア部７６は、上述のように、キュリー温度に達した場合には、磁束を導く機能を消失する。つまり、センターコア部７３、アーチコア部４７及びサイドコア部７６は、非通紙領域においては、キュリー温度に達した場合には、磁束を導く機能を有さなくなる。
【０１１７】
これにより、誘導コイル７１により発生された磁束は、センターコア部７３、アーチコア部４７及びサイドコア部７６に導かれなくなる。そのため、センターコア部７３、アーチコア部４７及びサイドコア部７６が磁束を導く機能を有している場合と比べて、誘導コイル７１により発生された磁束のループの形状は、大きくなり、磁束を効率的に導かなくなる。これにより、センターコア部７３、アーチコア部４７及びサイドコア部７６の温度がキュリー温度に達した非通紙領域において、加熱回転体９ａを発熱させる効率が低下することで、加熱回転体９ａの温度が過度に上昇することが一層抑制される。
【０１１８】
更に、第１熱伝導性部材７８１及び第２熱伝導性部材７８２は、センターコア部７３、アーチコア部４７又はサイドコア部７６が磁束を誘導する機能を有さない場合において、誘導コイル７１により発生された磁束のうちの少なくとも一部が通過可能な位置に配置されている。
そして、センターコア部７３及びサイドコア部７６がキュリー温度に達すると、センターコア部７３及びサイドコア部７６における磁束を導く機能は、消失する。誘導コイル７１により発生された磁束のうちの少なくとも一部は、第１熱伝導性部材７８１及び第２熱伝導性部材７８２を通過する。
【０１１９】
各サイズの用紙Ｔの非通紙領域のセンターコア部７３及びサイドコア部７６の温度がキュリー温度に達すると、非通紙領域において、図４Ｂに示すように、誘導コイル７１により発生された磁束は、第１熱伝導性部材７８１及び第２熱伝導性部材７８２を通過する。第１熱伝導性部材７８１及び第２熱伝導性部材７８２は、非磁性体材料で形成されるため、磁束を低減させ又は遮蔽する機能を有する。
【０１２０】
具体的には、第１熱伝導性部材７８１及び第２熱伝導性部材７８２は、その面に垂直な磁束が貫通することによる誘導電流によって貫通磁束とは逆方向の向きの磁束を発生させる。第１熱伝導性部材７８１及び第２熱伝導性部材７８２は、錯交磁束（垂直な貫通磁束）をキャンセルする方向の磁束を発生させることで磁路を通過する磁束を低減させ又は遮蔽する。
【０１２１】
このようにして、第１熱伝導性部材７８１及び第２熱伝導性部材７８２は、非通紙領域において、強磁性材料からなるセンターコア部７３及びサイドコア部７６がキュリー温度に達した場合には、第１熱伝導性部材７８１及び第２熱伝導性部材７８２を貫通する磁束を低減させ又は遮蔽することができる。従って、用紙Ｔの各サイズに対応して、非通紙領域において、第１熱伝導性部材７８１及び第２熱伝導性部材７８２により磁束が低減され又は遮蔽されることで、加熱回転体９ａの温度が過度に上昇することを一層抑制することができる。
【０１２２】
第１実施形態のプリンター１によれば、例えば、以下の効果が奏される。
第１実施形態のプリンター１においては、加熱回転体９ａと、加熱回転体９ａに対向して配置され、加熱回転体９ａとの間に定着ニップＦを形成する加圧回転体９ｂと、加熱回転体９ａの外面から所定距離離間して前記外面に沿って配置され、加熱回転体９ａを発熱させるための磁束を発生させる誘導コイル７１と、磁性体コア部７２であって少なくともその一部のキュリー温度が加熱回転体９ａが用紙Ｔを定着させる定着温度になった時の磁性体コア部７２の温度よりも高く且つ加熱回転体９ａがその耐熱温度になった場合の磁性体コア部７２の温度よりも低い磁性体コア部７２と、磁性体コア部７２よりも熱伝導率が高い第１熱伝導性部材７８１及び第２熱伝導性部材７８２であって、加熱回転体９ａの外面に対向すると共に磁性体コア部７２に当接して配置される第１熱伝導性部材７８１及び第２熱伝導性部材７８２と、を備える。
【０１２３】
そのため、第１熱伝導性部材７８１及び第２熱伝導性部材７８２は、加熱回転体９ａからの熱をセンターコア部７３及びサイドコア部７６に迅速に伝導させることができる。これにより、加熱回転体９ａの外周面の熱の上昇に追従させて、センターコア部７３及びサイドコア部７６の温度をキュリー温度に迅速に上昇させることができる。従って、加熱回転体９ａの温度が過度に上昇することを迅速に抑制することができる。
【０１２４】
また、第１実施形態のプリンター１においては、第１熱伝導性部材７８１及び第２熱伝導性部材７８２は、最小非通紙領域９０３ｄに対応する位置に配置される。そのため、各サイズの用紙Ｔの非通紙領域において、加熱回転体９ａからの熱をセンターコア部７３及びサイドコア部７６に迅速に伝導させることができる。これにより、加熱回転体９ａの外周面の熱の上昇に追従させて、センターコア部７３及びサイドコア部７６の温度をキュリー温度に効率よく迅速に上昇させることができる。従って、加熱回転体９ａの温度が過度に上昇することを迅速に抑制することができる。
【０１２５】
また、第１熱伝導性部材７８１及び第２熱伝導性部材７８２は、センターコア部７３及びサイドコア部７６よりも熱伝導率が高いため、センターコア部７３及びサイドコア部７６の温度を下げる際に、センターコア部７３及びサイドコア部７６から伝導された熱を迅速に伝導させて、センターコア部７３及びサイドコア部７６の温度を迅速に下げることができる。
【０１２６】
また、第１実施形態のプリンター１においては、第１熱伝導性部材７８１及び第２熱伝導性部材７８２は、非磁性体材料で形成される。そのため、センターコア部７３及びサイドコア部７６がキュリー温度に達しない場合には、第１熱伝導性部材７８１及び第２熱伝導性部材７８２は、磁束を導かずに、加熱回転体９ａからの熱を第１熱伝導性部材７８１及び第２熱伝導性部材７８２を伝導させる。一方、センターコア部７３及びサイドコア部７６がキュリー温度に達した場合には、センターコア部７３及びサイドコア部７６の磁束を導く機能が迅速に消失されて、第１熱伝導性部材７８１及び第２熱伝導性部材７８２における磁束を低減させ又は遮蔽する機能を発揮させる。従って、センターコア部７３及びサイドコア部７６がキュリー温度に達しない場合にセンターコア部７３及びサイドコア部７６により形成される磁路を通過する磁束に影響を与えず、且つ、センターコア部７３及びサイドコア部７６がキュリー温度に達した場合に加熱回転体９ａの温度が過度に上昇することを一層抑制することができる。
【０１２７】
また、第１実施形態のプリンター１においては、第１熱伝導性部材７８１及び第２熱伝導性部材７８２の加熱回転体９ａ側に加熱回転体９ａの外面に対向して配置され、第１熱伝導性部材７８１及び第２熱伝導性部材７８２よりも熱を吸収しやすい第１輻射熱吸収層７９１及び第２輻射熱吸収層７９２を更に備える。そのため、第１輻射熱吸収層７９１及び第２輻射熱吸収層７９２は、加熱回転体９ａからの熱を効率よく吸収することができる。これにより、加熱回転体９ａからの熱は、第１輻射熱吸収層７９１及び第２輻射熱吸収層７９２から、第１熱伝導性部材７８１及び第２熱伝導性部材７８２に効率よく伝導される。従って、センターコア部７３及びサイドコア部７６の温度をキュリー温度に一層迅速に上昇させることができる。
【０１２８】
次に、本発明のプリンター１の他の実施形態としての第２実施形態について、図面を参照しながら説明する。なお、第２実施形態の説明にあたって、第１実施形態と同一の構成要件については同一の符号を付し、その説明を省略又は簡略化する。図５は、第２実施形態のプリンター１の定着装置９の各構成要素を説明するための断面図である。
【０１２９】
第２実施形態のプリンター１は、第１実施形態と比べて、主として、第２熱伝導性部材７８２Ａ及び第２輻射熱吸収層７９２Ａの構成が異なる。
【０１３０】
図５に示すように、第２熱伝導性部材７８２Ａは、サイドコア部７６のアーチコア部７４とは反対側（サイドコア部７６の下側）に配置される。第２熱伝導性部材７８２Ａは、第１当接部分７８３Ａと、第１離間部分７８４Ａとを有する。
【０１３１】
第１当接部分７８３Ａは、用紙幅方向Ｄ２に視た場合に、サイドコア部７６のアーチコア部７４とは反対側の下面において、サイドコア部７６の加熱回転体９ａから離れた側の端部から用紙Ｔの搬送方向Ｄ１の略中央にわたって当接した状態で、サイドコア部７６の下面に平行に略水平に延びている。
第１離間部分７８４Ａは、サイドコア部７６から離間している。第１離間部分７８４Ａは、第１当接部分７８３Ａの加熱回転体９ａ側の端部から斜め下方側に向けて延びている。第１離間部分７８４Ａは、サイドコア部７６の用紙Ｔの搬送方向Ｄ１の略中央から加熱回転体９ａに近づくにしたがってサイドコア部７６の下面から離間するように傾斜する。
【０１３２】
このように構成されることで、第２熱伝導性部材７８２Ａは、加熱回転体９ａ側の第１離間部分７８４Ａにおいてサイドコア部７６から離間すると共に、加熱回転体９ａとは反対側の第１当接部分７８３Ａにおいてサイドコア部７６に当接する。
【０１３３】
第１離間部分７８４Ａは、第１表面７８５及び第２表面７８６を有する。第１表面７８５及び第２表面７８６は、加熱回転体９ａの外周面に対向する。第１表面７８５は、第１離間部分７８４Ａのサイドコア部７６側の面であり、サイドコア部７６から離れるように下方側に傾斜する。第２表面７８６は、第１表面７８５の加熱回転体９ａ側の端部から加熱回転体９ａから離れるように下方側に傾斜する。
【０１３４】
第１表面７８５及び第２表面７８６は、加熱回転体９ａの外周面に対して斜めに傾いた状態で、加熱回転体９ａの外周面に対向している。本発明における「加熱回転体９ａの外周面に対向する」には、加熱回転体９ａの外周面に対して斜めに傾いた状態で対向する場合も含まれる。
【０１３５】
第１表面７８５及び第２表面７８６には、第２輻射熱吸収層７９２Ａが設けられている。第２輻射熱吸収層７９２Ａは、第１吸収層７９５と、第２吸収層７９６とを有する。第１吸収層７９５は、第２熱伝導性部材７８２Ａの第１表面７８５を覆うように配置される。第２吸収層７９６は、第２熱伝導性部材７８２Ａの第２表面７８６を覆うように配置される。第２輻射熱吸収層７９２Ａは、加熱回転体９ａの外周面に対向している。
【０１３６】
第２実施形態のプリンター１によれば、第１実施形態と同様の効果を奏する他、以下のような効果が奏される。
第２実施形態のプリンター１においては、第２熱伝導性部材７８２Ａは、加熱回転体９ａ側においてサイドコア部７６から離間すると共に、加熱回転体９ａとは反対側においてサイドコア部７６に当接する。そのため、サイドコア部７６の加熱回転体９ａに近い側の部分及び離れた側の部分の両側から、加熱回転体９ａからの熱をサイドコア部７６に伝導させることができる。従って、サイドコア部７６の全体の温度を、加熱回転体９ａの外周面の温度に追従させて、迅速に上昇させることができる。その結果、サイドコア部７６の温度をキュリー温度に迅速に上昇させることで、加熱回転体９ａの温度が過度に上昇されることを一層迅速に抑制することができる。
【０１３７】
また、第１表面７８５及び第２表面７８６は、加熱回転体９ａの外周面に対して斜めに傾いた状態で、加熱回転体９ａの外周面に対向している。そのため、第１表面７８５及び第２表面７８６は、加熱回転体９ａの外周面に対向する面積が広い。これにより、第２熱伝導性部材７８２Ａの温度を、加熱回転体９ａの外周面の温度に追従させて、より効率よく上昇させることができる。
【０１３８】
次に、本発明のプリンター１の他の実施形態としての第３実施形態について、図面を参照しながら説明する。なお、第３実施形態の説明にあたって、第１実施形態及び第２実施形態と同一の構成要件については同一の符号を付し、その説明を省略又は簡略化する。図６は、第３実施形態のプリンター１の定着装置９の各構成要素を説明するための断面図である。
【０１３９】
第３実施形態のプリンター１は、第１実施形態及び第２実施形態と比べて、主として、第２熱伝導性部材７８２Ｂ及び第２輻射熱吸収層７９２Ｂの構成が異なる。
図６に示すように、第２熱伝導性部材７８２Ｂは、薄板状に形成される。第２熱伝導性部材７８２Ｂは、薄板状に形成されるため、熱容量が小さい。第２熱伝導性部材７８２Ｂは、第２当接部分７８３Ｂと、第２離間部分７８４Ｂとを有する。
【０１４０】
第２当接部分７８３Ｂは、用紙幅方向Ｄ２に視た場合に、サイドコア部７６のアーチコア部とは反対側の下面において、サイドコア部７６の加熱回転体９ａ側の端部の部分から加熱回転体９ａとは反対側の端部の部分にわたって当接している。
第２離間部分７８４Ｂは、サイドコア部７６から離間している。第２離間部分７８４Ｂは、サイドコア部７６の加熱回転体９ａ側の端部から、サイドコア部７６とは反対側（下方側）に向かって加熱回転体９ａの外周面に沿って延びている。詳細には、第２熱伝導性部材７８２Ｂは、加熱回転体９ａの外周面の湾曲形状に沿った湾曲した形状で、加熱回転体９ａの外周面に対向している。
【０１４１】
第２離間部分７８４Ｂの加熱回転体９ａ側の表面７８７には、第２輻射熱吸収層７９２Ｂが設けられている。第２輻射熱吸収層７９２Ｂは、第２熱伝導性部材７８２Ｂの加熱回転体９ａに対向する表面７８７を覆うように配置されている。つまり、第２輻射熱吸収層７９２Ｂは、第２熱伝導性部材７８２Ｂと同様に、サイドコア部７６の加熱回転体９ａ側の端部から、サイドコア部７６とは反対側（下方側）に向かって加熱回転体９ａの外周面に沿って延びている。第２輻射熱吸収層７９２Ｂは、加熱回転体９ａの外周面に対向して配置される。
【０１４２】
第３実施形態のプリンター１によれば、第１実施形態と同様の効果を奏する他、以下のような効果が奏される。
第３実施形態のプリンター１においては、第２熱伝導性部材７８２Ｂは、加熱回転体９ａの外周面に沿って延びている。そのため、第２熱伝導性部材７８２Ｂの表面７８７は、加熱回転体９ａの外周面に対向する面積が広い。これにより、第２熱伝導性部材７８２Ｂの温度を、加熱回転体９ａの外周面の温度に追従させて、効率よく上昇させることができる。
【０１４３】
また、第２熱伝導性部材７８２Ｂは、加熱回転体９ａの外周面の湾曲形状に沿った湾曲した形状で、加熱回転体９ａの外周面に対向している。そのため、第２熱伝導性部材７８２Ｂが加熱回転体９ａの外周面に直接的な対面状態で対向することにより、第２熱伝導性部材７８２Ｂの温度を、加熱回転体９ａの外周面の温度に追従させて、一層効率よく上昇させることができる。
【０１４４】
また、第２熱伝導性部材７８２Ｂは、薄板状に形成されるため、熱容量が小さい。そのため、第２熱伝導性部材７８２Ｂは、加熱回転体９ａからの熱をサイドコア部７６に一層効率よく伝導させることができる。
【０１４５】
以上、好適な実施形態について説明したが、本発明は前述した実施形態に限定されることなく種々の形態で実施することができる。
例えば、前述の第１実施形態においては、センターコア部７３に当接する第１熱伝導性部材７８１及びサイドコア部７６に当接する第２熱伝導性部材７８２を設けたが、これに制限されない。センターコア部７３に当接する第１熱伝導性部材７８１のみを設ける構成でもよいし、サイドコア部７６に当接する第２熱伝導性部材７８２のみを設ける構成でもよい。
【０１４６】
また、前述の第１実施形態においては、センターコア部７３、アーチコア部７４及びサイドコア部７６のキュリー温度は、加熱回転ベルト９３（定着装置９）が用紙Ｔを定着させる定着温度になったときのコア部の温度よりも高く、且つ、加熱回転体９ａ（加熱回転ベルト９３）が耐熱温度になったときのコア部の温度よりも低く設定されているが、これに制限されない。例えば、第１熱伝導性部材７８１に当接するセンターコア部７３のみのキュリー温度や、第２熱伝導性部材７８２に当接するサイドコア部７６のみのキュリー温度が、加熱回転ベルト９３（定着装置９）が用紙Ｔを定着させる定着温度になったときのコア部の温度よりも高く、且つ、加熱回転体９ａ（加熱回転ベルト９３）が耐熱温度になったときのコア部の温度よりも低く設定されていてもよい。
【０１４７】
また、前述の第２実施形態の構成及び第３実施形態の構成を同時に備えてもよい。具体的には、第２実施形態における第２熱伝導性部材７８２Ａにおいて、第２熱伝導性部材７８２Ａを、第３実施形態における第２熱伝導性部材７８２Ｂのように、加熱回転体９ａの外周面に沿って延びるように構成してもよい。
【０１４８】
また、前述の実施形態においては、第１熱伝導性部材７８１及び第２熱伝導性部材７８２を磁性体コア部７２における最小非通紙領域９０３ｄに対応する位置に配置したが、これに制限されない。例えば、第１熱伝導性部材７８１及び第２熱伝導性部材７８２を、磁性体コア部７２における最大非通紙領域９０１ｄに対応する位置に配置してもよいし、通紙領域及び非通紙領域の全部にわたって配置してもよい。
【０１４９】
本発明の画像形成装置の種類は、特に限定がなく、プリンター以外に、コピー機、ファクシミリ、又はこれらの複合機などであってもよい。
シート状の被転写材は、用紙に制限されず、例えば、フィルムシートであってもよい。
【符号の説明】
【０１５０】
２……感光体ドラム（像担持体）、８……転写ローラー（転写部）、９……定着装置、９ａ……加熱回転体、９ｂ……加圧ローラー（加圧回転体）、１６……現像器、７１……誘導コイル、７２……磁性体コア部、７３……センターコア部（第１コア部）、７６……サイドコア部（第２コア部）、７８１……第１熱伝導性部材（熱伝導性部材）、７８２……第２熱伝導性部材（熱伝導性部材）、７９１……第１輻射熱吸収層（輻射熱吸収部材）、７９２……第２輻射熱吸収層（輻射熱吸収部材）、９０３……最小通紙領域（第１領域）、９０３ｄ……最小非通紙領域（第２領域）、Ｆ……定着ニップ、Ｔ……用紙（被転写材）
【図１】
0005538308.tif 000002
【図２】
0005538308.tif 000003
【図３】
0005538308.tif 000004
【図４】
0005538308.tif 000005
【図５】
0005538308.tif 000006
【図６】
0005538308.tif 000007